【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
記録材に形成された画像を加熱する像加熱装置であって、
記録材の搬送方向に対して直交する方向に並ぶ複数の発熱体を有するヒータと、
前記複数の発熱体へ供給する電力を制御する制御部であって、前記複数の発熱体を個々に制御可能である制御部と、を有し、
前記制御部は、一枚の記録材の中で、画像が形成された領域に対する加熱量と画像が形成されていない領域に対する加熱量を、夫々制御するように構成され、
前記制御部は、前記記録材の坪量が第１坪量である場合の、前記画像が形成されていない領域に対する加熱量が、前記記録材の坪量が前記第１坪量よりも小さい第２坪量である場合の、前記画像が形成されていない領域に対する加熱量より小さくなるように、前記複数の発熱体を制御することを特徴とする像加熱装置。
【請求項２】
前記制御部は、前記記録材の坪量が前記第１坪量である場合の、前記画像が形成された領域に対する加熱量と前記画像が形成されていない領域に対する加熱量との差が、前記記録材の坪量が前記第２坪量である場合の、前記画像が形成された領域に対する加熱量と前記画像が形成されていない領域に対する加熱量との差より、大きくなるように、前記画像が形成されていない領域に対する加熱量を制御することを特徴とする請求項１に記載の像加熱装置。
【請求項３】
前記制御部は、前記記録材の坪量が小さい程、前記画像が形成された領域に対する加熱量と前記画像が形成されていない領域に対する加熱量との差が小さくなるように、前記画像が形成された領域に対する加熱量と前記画像が形成されていない領域に対する加熱量を制御することを特徴とする請求項２に記載の像加熱装置。
【請求項４】
前記制御部は更に、相対湿度に応じて、前記画像が形成された領域に対する加熱量と前記画像が形成されていない領域に対する加熱量を夫々制御することで、前記相対湿度が高い程、前記画像が形成された領域に対する加熱量と前記画像が形成されていない領域に対する加熱量との差が小さくなることを特徴とする請求項２に記載の像加熱装置。
【請求項５】
前記制御部は更に、雰囲気温度に応じて、前記画像が形成された領域に対する加熱量と前記画像が形成されていない領域に対する加熱量を夫々制御することで、前記雰囲気温度
が高い程、前記画像が形成された領域に対する加熱量と前記画像が形成されていない領域に対する加熱量との差が小さくなることを特徴とする請求項２に記載の像加熱装置。
【請求項６】
前記制御部は更に、画像の濃度に応じて、前記画像が形成された領域に対する加熱量を制御することを特徴とする請求項２に記載の像加熱装置。
【請求項７】
前記制御部が、前記画像が形成された領域を加熱する前記発熱体の制御目標温度と、前記画像が形成されていない領域を加熱する前記発熱体の制御目標温度と、に差を設けることによって、前記画像が形成された領域に対する加熱量と前記画像が形成されていない領域に対する加熱量に差が生じることを特徴とする請求項２〜６のいずれか１項に記載の像加熱装置。
【請求項８】
記録材に形成された画像を加熱する像加熱装置であって、
記録材の搬送方向に対して直交する方向に並ぶ複数の発熱体を有するヒータと、
前記複数の発熱体へ供給される電力を制御する制御部であって、前記複数の発熱体を個々に制御可能な制御部と、
を有し、
前記制御部は、一枚の記録材の中で、画像が形成された領域に対する加熱量と、画像が形成されていない領域に対する加熱量と、を夫々制御するように構成され、前記制御部は、前記記録材の坪量が基準坪量より大きい場合の、前記画像が形成されていない領域に対する加熱量が、前記記録材の坪量が基準坪量より小さい場合の、前記画像が形成されていない領域に対する加熱量よりも小さくなるように、前記複数の発熱体を制御することを特徴とする像加熱装置。
【請求項９】
前記制御部は、前記記録材の坪量が基準坪量より大きい場合の、前記画像が形成された領域に対する加熱量と前記画像が形成されていない領域に対する加熱量の差が、前記記録材の坪量が基準坪量より小さい場合の、前記画像が形成された領域に対する加熱量と前記画像が形成されていない領域に対する加熱量の差よりも大きくなるように、前記画像が形成されていない領域に対する加熱量を制御することを特徴とする請求項８に記載の像加熱装置。
【請求項１０】
前記制御部は更に、相対湿度に応じて、前記画像が形成された領域の加熱量と前記画像が形成されていない領域に対する加熱量を夫々制御することで、前記相対湿度が高い程、前記画像が形成された領域に対する加熱量と前記画像が形成されていない領域に対する加熱量との差が小さくなることを特徴とする請求項９に記載の像加熱装置。
【請求項１１】
前記制御部は更に、雰囲気温度に応じて、前記画像が形成された領域に対する加熱量と前記画像が形成されていない領域に対する加熱量を夫々制御することで、前記雰囲気温度が高い程、前記画像が形成された領域に対する加熱量と前記画像が形成されていない領域に対する加熱量との差が小さくなることを特徴とする請求項９に記載の像加熱装置。
【請求項１２】
前記制御部は更に、画像の濃度に応じて、前記画像が形成された領域に対する加熱量を制御することを特徴とする請求項９に記載の像加熱装置。
【請求項１３】
前記制御部が、前記画像が形成された領域を加熱する前記発熱体の制御目標温度と、前記画像が形成されていない領域を加熱する前記発熱体の制御目標温度と、に差を設けることによって、前記画像が形成された領域に対する加熱量と前記画像が形成されていない領域に対する加熱量に差が生じることを特徴とする請求項８〜１２のいずれか１項に記載の像加熱装置。
【請求項１４】
内面が前記ヒータに接触しつつ回転する筒状のフィルムを更に有し、前記記録材上の画像は前記フィルムを介して加熱されることを特徴とする請求項１〜１３のいずれか１項に記載の像加熱装置。
【請求項１５】
前記フィルムを介して前記ヒータと共に前記記録材を挟持搬送するための定着ニップ部を形成するように構成されたローラを更に有することを特徴とする請求項１４に記載の像加熱装置。
【手続補正２】
【補正対象書類名】明細書
【補正対象項目名】０００６
【補正方法】変更
【補正の内容】
【０００６】
上記目的を達成するため、本発明の像加熱装置は、
記録材に形成された画像を加熱する像加熱装置であって、
記録材の搬送方向に対して直交する方向に並ぶ複数の発熱体を有するヒータと、
前記複数の発熱体へ供給する電力を制御する制御部であって、前記複数の発熱体を個々に制御可能である制御部と、
を有し、
前記制御部は、一枚の記録材の中で、画像が形成された領域に対する加熱量と画像が形成されていない領域に対する加熱量を、夫々制御するように構成され、
前記制御部は、前記記録材の坪量が第１坪量である場合の、前記画像が形成されていない領域に対する加熱量が、前記記録材の坪量が前記第１坪量よりも小さい第２坪量である場合の、前記画像が形成されていない領域に対する加熱量より小さくなるように、前記複数の発熱体を制御することを特徴とする。
上記目的を達成するため、本発明の像加熱装置は、
記録材に形成された画像を加熱する像加熱装置であって、
記録材の搬送方向に対して直交する方向に並ぶ複数の発熱体を有するヒータと、
前記複数の発熱体へ供給される電力を制御する制御部であって、前記複数の発熱体を個々に制御可能な制御部と、
を有し、
前記制御部は、一枚の記録材の中で、画像が形成された領域に対する加熱量と、画像が形成されていない領域に対する加熱量と、を夫々制御するように構成され、前記制御部は、前記記録材の坪量が基準坪量より大きい場合の、前記画像が形成されていない領域に対する加熱量が、前記記録材の坪量が基準坪量より小さい場合の、前記画像が形成されていない領域に対する加熱量よりも小さくなるように、前記複数の発熱体を制御することを特徴とする。